(57)【要約】【課題】一方の部材を他方の部材に向けて動作させることなしに、一定の長さの下に２部材を容易確実に結合および結合解除することの出来る部品構造を提供する。【解決手段】人力によって操作部６に上下方向にワンタッチ操作力が加わると、シーソーレバー状の操作制御部材３が回動して駆動部７を回動させ、駆動部７の回動が開口部１６内の板バネ機能を持つ固定部材４の一端側固定部１０を押圧して固定部材４を回動させ、他端側固定部１１が、被固定部材５を筒状本体１に固定し、人力によって操作部６に反対方向の操作力が加わると、操作制御部材３が反対方向に回動し、固定部材４も反対方向に回動して、固定部材４の被固定部材５に対する押圧力を解除し、被固定部材５を筒状本体１から離脱可能とする。【選択図】図１
2014105825.tif 000002
【特許請求の範囲】
【請求項１】
筒体から形成された筒状本体と、
該筒状本体に回動可能に係合される操作制御部材、該操作制御部材に係合される固定部材から構成される固定・離脱機構および該固定部材から離脱され、かつ固定部材によって固定される被固定部材とから構成され、
前記筒体が、貫通する孔部を有し、
前記操作制御部材が、一端側を人力によって操作力が付与される操作部、他端側を前記操作部と一体構成の駆動部とされ、前記筒状本体に係合されたとき、係合上方からみて上側に９０°よりも大きく、１８０°よりも小さくシーソレバー状に屈曲され、前記筒体に固定した回転支店部材を備え、該回転支点部材に保持されて回転支点を中心として回動可能とされ、前記駆動部が、端部に開口部を備え、
前記固定部材が、板バネ性質と鋭角に屈曲された形状とを有し、前記筒体に設けた孔部を貫通して配設されて前記孔部に屈曲された部位が位置するように配置されることで該孔部を中心にして回動可能にされて前記筒体に保持され、一端側が前記開口部内に挿入されて前記駆動部の内部内面に接触可能とされ、他端側が前記被固定部材の表面に接触可能とされて構成され、
人力によって前記操作部に長手方向に対する上下方向ワンタッチ操作力が加わると、前記操作制御部材が前記筒体上で回動して駆動部を回動させ、該駆動部の回動が前記開口部内の固定部材の一端側を押圧して該固定部材を前記筒体上で回動させ、該固定部材の他端側が、前記被固定部材を前記筒状本体に固定し、人力によって前記操作部に反対方向の操作力が加わると、前記操作制御部材が反対方向に回動し、前記固定部材も反対方向に回動して、前記固定部材の前記被固定部材に対する押圧力を解除し、前記被固定部材を前記固定部材から離脱可能とすること
を特徴とする圧着固定・圧着解除部品の構造。
【請求項２】
請求項１において、前記駆動部が、内部に前記筒体の外形よりもわずかに大きな内部形状を有して、前記操作制御部材が回動すると前記駆動部の内部形状が摩擦力によって前記筒体の外形に固着され、前記操作部に加えられた押圧力が解除されても前記駆動部の前記筒体に対する固着が継続されることを特徴とする圧着固定・圧着解除部材の構造。
【請求項３】
請求項１において、前記筒体および前記駆動部が、角形または丸形に形成されることを特徴とする圧着固定・圧着解除部品の構造。
【請求項４】
請求項１において、前記駆動部が、別体で構成された留め具と一体とされ、該留め具によって前記回転支点部材に保持されることを特徴とする圧着固定・圧着解除部品の構造。
【請求項５】
請求項１に記載された圧着固定・圧着解除部品の構造であって、前記筒体が、台所用品のお玉の柄とされて、お玉の柄に適用され、前記被固定部材が、お玉の具盛り部に一体化されたことを特徴とする圧着・圧着解除部品の構造。
【請求項６】
請求項１に記載された圧着固定・圧着解除部品の構造であって、前記筒体が、バターない柄とされて、バターナイフの柄に適用され、前記固定部材が、バターナイフの柄に一体化されたことを特徴とする圧着固定・圧着解除部品の構造。
【請求項７】
請求項１に記載された圧着固定・圧着解除部品の構造であって、前記筒体が、スコップの柄とされて、スコップの柄に適用され、前記被固定部材が、スコップのスコップ頭部に一体化されたことを特徴とする圧着固定・圧着解除部品の構造。
【発明の詳細な説明】
【技術分野】
【０００１】
本発明は、圧着固定・圧着解除要素である部品の構造に関する。
【背景技術】
【０００２】
２部材を着脱自在に結合・解除する構造は、各種要素部品として構成され、いろいろな製品、部材で適用されている。
【０００３】
特許文献１には、任意の物品の所定箇所に管嵌挿部を有する取付部材を設け、この管嵌挿部の内部に側面への字形の板発条をその中央部左右側に設けた突子を管嵌挿部に枢着して設け、管嵌挿部の底部にストッパーを設け、パイプ柄体を板発条およびストッパーによって固定してなるパイプ柄固定装置が記載されている。
【先行技術文献】
【特許文献】
【０００４】
【特許文献１】実開昭５３−９０１８２号公報
【発明の概要】
【発明が解決しようとする課題】
【０００５】
特許文献１に記載されたパイプ柄固定装置は板発条のバネ力を利用して一方の部材を他方の部材に圧着固定するものであり、一方の部材であるパイプ柄体を他方の部材側に動作させることで板発条によるバネ力を活用できるようにして、結合させるものである。この構成では、上述したようにパイプ柄体を結合したい他方部材に向けて近づける動作を行っている。
【０００６】
２部材を着脱自在に結合させるに際して、一方の部材を他方部材に向けて近づける動作させることなく、部材間長さを一定にして簡単に結合、結合解除を行いたいニーズがある。例えば、他方の部材の用途が熱源、薬剤あるいは煙源のような操作する手を近づけたくないような場合である。特許文献１に記載された構造のものにあっては、このようなニーズに対応することが出来ない。
【０００７】
本発明は、かかる点に鑑みて上述したニーズに対応し、一方の部材を他方の部材に向けて近づけて動作させることを行うことなしに、２部材間長さを一定にして容易確実に結合および結合解除することの出来る部品構造を提供することを目的とする。
【課題を解決するための手段】
【０００８】
本発明は、
筒体から形成された筒状本体と、
該筒状本体に回動可能に係合される操作制御部材、該操作制御部材に係合される固定部材から構成される固定・離脱機構および該固定部材から離脱され、かつ固定部材によって固定される被固定部材とから構成され、
前記筒体が、貫通する孔部を有し、
前記操作制御部材が、一端側を人力によって操作力が付与される操作部、他端側を前記操作部と一体構成の駆動部とされ、前記筒状本体に係合されたとき、係合上方からみて上側に９０°よりも大きく、１８０°よりも小さくシーソレバー状に屈曲され、前記筒体に固定した回転支店部材を備え、該回転支点部材に保持されて回転支点を中心として回動可能とされ、前記駆動部が、端部に開口部を備え、
前記固定部材が、板バネ性質と鋭角に屈曲された形状とを有し、前記筒体に設けた孔部を貫通して配設されて前記孔部に屈曲された部位が位置するように配置されることで該孔部を中心にして回動可能にされて前記筒体に保持され、一端側が前記開口部内に挿入されて前記駆動部の内部内面に接触可能とされ、他端側が前記被固定部材の表面に接触可能とされて構成され、
人力によって前記操作部に長手方向に対する上下方向ワンタッチ操作力が加わると、前記操作制御部材が前記筒体上で回動して駆動部を回動させ、該駆動部の回動が前記開口部内の固定部材の一端側を押圧して該固定部材を前記筒体上で回動させ、該固定部材の他端側が、前記被固定部材を前記筒状本体に固定し、人力によって前記操作部に反対方向の操作力が加わると、前記操作制御部材が反対方向に回動し、前記固定部材も反対方向に回動して、前記固定部材の前記被固定部材に対する押圧力を解除し、前記被固定部材を前記固定部材から離脱可能とすること
を特徴とする圧着固定・圧着解除部品を提供する。
前記駆動部が、内部に前記筒体の外形よりもわずかに大きな内部形状を有して、前記操作制御部材が回動すると前記駆動部の内部形状が摩擦力によって前記筒体の外形に固着され、前記操作部に加えられた押圧力が解除されても前記駆動部の前記筒体に対する固着が継続されることを特徴とする圧着固定・圧着解除部材の構造を提供する。
前記筒体および前記駆動部が、角形または丸形に形成されることを特徴とする圧着固定・圧着解除部品の構造を提供する。
本発明は、前記駆動部が、別体で構成された留め具と一体とされ、該留め具によって前記回転支点部材に保持されることを特徴とする圧着固定・圧着解除部品の構造を提供する。
【０００９】
本発明は、上述の圧着固定・圧着解除部品の構造であって、前記筒体が、台所用品のお玉の柄とされて、お玉の柄に適用され、前記被固定部材が、お玉の具盛り部に一体化されたことを特徴とする圧着・圧着解除部品の構造を提供する。
本発明は、上述の圧着固定・圧着解除部品の構造であって、前記筒体が、バターない柄とされて、バターナイフの柄に適用され、前記固定部材が、バターナイフの柄に一体化されたことを特徴とする圧着固定・圧着解除部品の構造を提供する。
本発明は、上述の圧着固定・圧着解除部品の構造であって、前記筒体が、スコップの柄とされて、スコップの柄に適用され、前記被固定部材が、スコップのスコップ頭部に一体化されたことを特徴とする圧着固定・圧着解除部品の構造を提供する。
【発明の効果】
【００１０】
本発明は、筒体に設けた固定・離脱機構および被固定部材の組み合わせ用いているので、2部材の一方の筒状本体を他部材の被固定部材に近づける動作を行わなくて、双方部材の間の長さを一定の下に、筒体に設けたレバーシーソー状操作制御部材を上下方向にワンタッチ操作するだけで筒状本体を被固定部材に固定部材の板バネ作用を利用して容易確実に結合することが出来、また結合を容易確実に解除することの出来る部品構造を提供すること出来る。
【図面の簡単な説明】
【００１１】
【図１】本発明実施例の構成で、解除状態を示す斜視図。
【図２】本発明実施例の固定状態を示す斜視図。
【図３】図2に示す圧着固定状態の断面図。
【図４】図１に示す圧着解除状態の断面図。
【図５】本実施例をお玉に適用した事例を示す図。
【図６】本実施例をバターナイフに適用した事例を示す図。
【図７】本実施例をスコップに適用した事例を示す図。
【発明を実施するための形態】
【００１２】
以下、本発明の実施例を図面に基づいて説明する。
【実施例】
【００１３】
図１は、本発明の実施例の圧着固定・圧着解除部品１００の構造を示す斜視図で、圧着解除状態を示す図でもある。
【００１４】
図１において、圧着固定・圧着解除部品１００は、  筒体８から形成された筒状本体１と、この筒状本体１に回動可能に係合される操作制御部材３と、この操作制御部材３に係合される固定部材４から構成される固定・離脱機構２および固定部材４から離脱され、かつ固定部材４によって固定される被固定部材５と、から構成される。これらの部材は、金属、合成樹脂あるいはこれらの組み合わせで製作される。他の部材であってもよいが、後述する固定部材にはバネ性質を持つ材料が選択される。
【００１５】
筒体８は、貫通する貫通孔である孔部９を有する。
【００１６】
操作制御部材３は、薄い板からなり、一端側を人力によって操作力が付与される操作部６、他端側を操作部６と一体構成の駆動部７とされ、筒状本体１に係合されたとき、係合上方からみて上側に９０°よりも大きく、１８０°よりも小さくしたシーソーレバー状に屈曲され、筒体８に固定した回転支点部材１２を備え、回転支点部材１２に保持されて回転支点１３を中心として回動可能とされる。駆動部７が、端部に開口部１６を備える。駆動部７は、下側が開放された形状をなし、この開放部が回転支点１３を中心として筒体８を包囲することが出来るようにして回動することが出来る。すなわち両側２側面および上面が筒体の上方部を包囲することが出来る。回転支点部材１２および回転支点は１３は、操作制御部材を本体である筒体８に保持させる機能を持つ。
【００１７】
回転支点部材１２は、筒体８の内部空間２０に設けられ、筒体８の内壁に設定された回転支点１３を中心として回動する。
【００１８】
固定・離脱機構２は、全体的に筒体８の上方中央から右方向の端部に向けて図に示すように配設される。固定部材４が筒体８の左端部に向けて直線方向に配設される。
【００１９】
固定部材４が、板バネ性質と鋭角に屈曲された形状とを有し、筒体８に設けた孔部９を貫通して配設されて孔部９に屈曲された部位が位置するように配置されることで孔部９を中心にして回動可能にされて筒体８に保持され、一端側が前記開口部内に挿入されて駆動部７の内部内面に接触可能とされ、他端側が被固定部材５の表面に接触可能とされて構成される。固定部材４は、筒体８への固定的な保持手段がなく、孔部９内を貫通することで筒体８に保持され、一端側固定部１０を先に開口部１６内に挿入することで、孔部９との２点接点保持となって筒体９から落下することはなく、保持される。すなわち、一端側固定部１０は、孔部９と開口部１６先端間距離よりも少し長い。
【００２０】
被固定部材５は、本例の場合、板状のまっすぐな棒状をなし、右担側に圧着固定部１４の位置側を形成する接触部１９が形成される。この接触部１９は、筒体８の左端に形成された筒体開口部１７の中に挿入される。挿入位置を制御するような突起などを筒体８内に設けておくことが出来る。被固定部材５は、板状でなくてもよく、例えば丸状でああってよいし、曲がっていてもよい。筒体開口部１７は、被固定部材５、すなわち目的とする製品、商品の被固定部の形状に合わせて開口したものとすればよい。したがって、製品、商品の性格によっては、丸型とか、楕円状としてよい。
【００２１】
被固定部材５の一端側（図１では右端側）は、筒体８の内部空間２０に挿入される。挿入位置が固定位置になり、他端側固定部１１の先端が被固定部材５の一端側に形成した接触部１９に接触することで圧着固定部１４が形成される。被固定部材４を挿入する孔部９に摩擦材を予め装着しておいてもよい。
【００２２】
図１に示す例では、筒体８は、角形をなすが、他の形状、例えば丸形であってもよい。また、被固定部材５を角形で示しているが、丸形であってもよい。棒状であってもよい。
【００２３】
図１に示すように、操作制御部材３は、上述したように操作部６と駆動部７がシーソーレバー状の形状をなし、回転支点部材１２の回転支点１３を中心として回動する。
【００２４】
このような形状の操作制御部材３が、薄い板で形成され、板バネ性質と鋭角に屈曲された形状とを有したレバー状をなす固定部材と組み合わされ、固定部材４を回動させる。  
この回動に起因して、固定部材4の他端側である他端側固定部１１が被固定部材５の表面に接触可能とされる。このように、二つのレバー、すなわち逆への字状操作制御部材と、くの字状固定部材とが組み合わされる。
【００２５】
図２は、シーソーレバー状の操作制御部材３を矢印で示すように回動操作して、固定部材５を矢印で示すように回動させ、圧着固定部１４に圧着を形成して被固定部材５を筒状本体１に圧着固定した状態を示す。
【００２６】
このように、図１および図２に示すように、圧着固定・圧着解錠状態が形成可能とされる。
【００２７】
人力によって操作部６あるいは駆動部７に上下方向にワンタッチ操作力が加わると、操作制御部材３が回動して駆動部７を回動させ、駆動部７の回動が開口部１６内の固定部材４の一端側を押圧して固定部材４を回動させ、固定部材４の他端側が、被固定部材５を筒状本体１に固定する、あるいは押圧力を解除する。人力によって操作部６に反対方向の操作力を加えてもよい。操作制御部材３が反対方向に回動し、固定部材４も反対方向に回動すると、固定部材４の被固定部材５に対する押圧力が解除され、被固定部材５は固定部材４からワンタッチ離脱可能となる。
駆動部７は、内部に筒体８の外形よりもわずかに大きな内部形状を有して、操作制御部材３が回動すると駆動部７の内部形状が摩擦力によって筒体８の外形に固着され、操作部６に加えられた押圧力が解除されても駆動部７の筒体８に対する固着が継続される。
【００２８】
筒体８および駆動部７は、上述したように角形または丸形に形成される。
【００２９】
図３は、圧着固定工程を示す。
【００３０】
図３において、上方に傾斜していたシーソーレバー状の操作制御部材３の（イ）部位を上下方向に押す操作で、板バネ部材である固定部材４の一端側固定部１０が駆動部７の内面によって押され、固定部材４が回動される。これによって、他端側固定部１１が被固定部５に接触する部位に圧着固定部１４を形成し、被固定部材５を圧着摩擦によって圧着固定する。このように、操作部６の回転動作が固定部材４の回転動作に転換され、固定部材４による被固定部材５との間に圧着摩擦部が形成される。位置決めされた被固定部材５は、固定部材４の板バネ機能によってしっかりと圧着固定され、操作制御部材３、すなわち筒状本体１との間にしっかりと圧着固定が形成される。固定関係が決定されると、圧着固定に際して筒状本体１が、被固定部材５に近づける動作はなされず、筒体の上側で、固定・離脱機構２と固定部材４間の長さが一定の状態で圧着固定がなされる。
【００３１】
図４は、圧着解除工程を示す。
【００３２】
図４において、上方に傾斜していたシーソーレバー状の操作制御部材３の駆動部７の（ロ）部位を上下方向に押す操作がなされることで板バネ部材である固定部材４の他端側固定部１０が働いていた押圧力を解除する。これによって固定部材４は無拘束とされ、固定部材４は、圧着固定部１４に働いていた押圧力を解錠する。圧着固定されていた被固定部材５は、他端側固定部１１から離脱し、筒状本体１から無拘束とされ、分離可能・離脱可能となる。この分離・離脱に際して筒状本体１は被固定部材５に近づける動作はなされず、筒体の上側で、固定・離脱機構２と固定部材4間の長さが一定の状態で圧着解除がなされる。
【００３３】
このようにして筒状本体１を左方に動作させることなく、シーソーレバー状の操作制御部材３をシーソーを操作するようにして左右の（イ）部、（ロ）部を押圧することで、圧着固定・圧着解錠構成が形成される。
【００３４】
上述した例では、駆動部７を直接的に固定支点部材１２に固着しているが、駆動部７の下部に他部材を固着し、一体化し、この他部材を固定支点部材１２に固着するようにしてもよい。すなわちこの場合には、他部材は留め具との機能を有し、駆動部７は、別体で構成された留め具と一体とされ、留め具を介して回転支点部材１２に保持される構成が形成される。留め具は、駆動部７と一体であり、駆動部７の一部を構成する。
【００３５】
以上のように、本実施例は、シーソーレバー状の操作制御部材３および板バネ機能を持つ固定部材４を脱離可能に組み合わせることで被固定部材５が筒状本体１に圧着固定され、筒状本体１から離脱可能とされるのに固定・離脱機構２が構成され、筒状本体１に取り付けられる。筒状本体を相対的に静止した状態で、被固定部材５に近づける動作を行うことなく、双方部材間の長さ一定の下に、筒状本体に垂直方向の押圧力を加えることで、レバー作用、板バネ作用の組み合わせを利用して容易確実に、小さな力で二つの部材を結合し、離脱することの出来る部品構造を提供することが出来る。
【００３６】
固定・離脱機構２と被固定部材５を別個の部材構成としたことによって被固定部材には異種の複数の被固定部材適宜選択採用可能となる。汎用性のある使用法が提供できることになり、使い勝手がよい2部材結合、結合解除部品を提供出来る。
【００３７】
図５、図６および図７に本実施例の適用例を示す。基本構成については、上述した実施例の構造が採用され、ここでは繰り返して説明しない。
【００３８】
図５は、本実施例を台所用品のお玉３０に適用した例を示す。お玉３０は、先端に具盛り部３１を有する。図５に示すように筒体本体１は、お玉の柄となり、被固定部材の先端に具盛り部３１が形成される。そして、筒状本体１は、お玉の把持部を含んで、具盛り部３１近辺まで伸びる筒体８を有する。この例によれば、お玉の把持部をお玉先端に近づけることなく、筒体８の長さにおいて、上下方向のワンタッチ操作で具盛り部３１を柄に固定、また柄から分離することが出来、使用時には一体として使用できる。柄から分離することで、料理した品を鍋に入れた状態で冷蔵庫保存するような時に、柄から分離した被固定部材および具盛り部３１を鍋にいれたまま引っかけ部２を鍋の縁に引っ掛けて冷蔵庫に収納できるので、収納場所を取らず、冷蔵庫収納が極めて楽になる。再加熱時には上述した固定・離脱機構を利用してお玉把持部を柄にシーソーレバー状の操作制御部材３の操作によりワンタッチ上下方向操作で取り付け、圧着固定すればよい。
【００３９】
このように、お玉３０の具盛り部３１を柄から容易に分離できることから、柄の部分が焦げたり、過熱されるようなことが防止され、安全がキープされる。
【００４０】
このように圧着固定・圧着解除部品の構造であって、前記筒体が、台所用品のお玉の柄とされて、お玉の柄に適用され、前記被固定部材が、お玉の具盛り部に一体化されたことを特徴とする圧着・圧着解除部品の構造が提供される。
【００４１】
図６は、本実施例をバターナイフ４０に適用した例を示す。バターナイフ４０は、先端にナイフ部４１を有する。図６において、被固定部５は、バターナイフ４０の根元部となる。したがって、被固定部５の形状は、バターナイフ４０の根元部の形状をなす。そして、筒状本体１は、バターナイフ４０の把持部を含む柄を形成する。上述した部品構造に採用によって、バターナイフの使用時にナイフ部４１と把持部とは上述した一定長さを保持しながら上下方向ワンタッチ操作で一体化され、使用に供され、上述した実施例と同じに上下方向ワンタッチ操作で分離されるので衛生的な固着、分離がなされる。
【００４２】
食パンにバターあるいはマーガリンを塗った後に、バターあるいはマーガリンの入っている容器にバターナイフを収納したいとき、通常バターナイフの長さは容器内部長さよりも大きく、このままでは容器にバターナイフを収納できないし、把持部とナイフ部二部品接合分離子構造のであっては、把持部を容器内方向に移動させることを要するので、圧着固定時長さと圧着解除時のバターナイフの長さに異動が生じてしまい使いづらいものとなるが、本実施例によれば上述した長さ一定の下に、上下方向ワンタッチ操作で固着、分離がなされ、長さに異動が生じないので使い勝手がよいバターナイフが提供される。
【００４３】
このように圧着固定・圧着解除部品の構造であって、前記筒体が、バターない柄とされて、バターナイフの柄に適用され、前記固定部材が、バターナイフの柄に一体化されたことを特徴とする圧着固定・圧着解除部品の構造が提供される。
【００４４】
図７は、本実施例を農業、土木作業用のスコップ５０に適用した例を示す。スコップ５０は、先端にスコップ頭部５１を有する。図７において、被固定部５は、スコップ５０の根元部となる。したがって、被固定部５の形状は、スコップ５０の根元部の形状をなす。そして、筒状本体１は、スコップ５０の把持部を含むスコップ５０の柄を形成する。この例によれば、スコップ５０の把持部をスコップ頭部に近づけることなく、筒体８である柄の長さにおいて、上述した実施例と同じ動作で、柄にスコップ頭部５１を固定、また柄から分離することが出来、使用時には一体として使用できる。
【００４５】
スコップ頭部５１には剣先型および角平型の２種類がある。使用目的により先端のスコップ頭部を使い分けする場合に、1個の柄にて2種類の先端のスコップ頭部５１を使い分け出来、このときにスコップ頭部５と把持部とは柄の上側で上述した長さ一定の下に上下方向のワンタッチ操作で固着、分離がなされるので操作が簡単であり、固着時と分離時でスコップ全体長さに異動が生じないので、使い勝手がよいスコップを提供出来る。スコップに代えてパイプ構造材であってもよい。
【００４６】
このように圧着固定・圧着解除部品の構造であって、前記筒体が、スコップの柄とされて、スコップの柄に適用され、前記被固定部材が、スコップのスコップ頭部に一体化されたことを特徴とする圧着固定・圧着解除部品の構造が提供される。
【符号の説明】
【００４７】
１…筒状本体、２…固定・離脱機構、３…操作制御部材、４…固定部材、５…被固定部材、６…操作部、７…駆動部、８…筒体、９…孔部、１０…端側固定部、１１…他端側固定部、１２…回転支点部材、１３…回転支点、２０…内部空間、１００…圧着固定・圧着解除部品。
【図１】
2014105825.tif 000003
【図２】
2014105825.tif 000004
【図３】
2014105825.tif 000005
【図４】
2014105825.tif 000006
【図５】
2014105825.tif 000007
【図６】
2014105825.tif 000008
【図７】
2014105825.tif 000009
【手続補正書】
【提出日】平成24年12月20日(2012.12.20)
【手続補正１】
【補正対象書類名】特許請求の範囲
【補正対象項目名】全文
【補正方法】変更
【補正の内容】
【特許請求の範囲】
【請求項１】
筒体から形成された筒状本体と、
該筒状本体に回動可能に係合される操作制御部材、該操作制御部材に係合される固定部材から構成される固定・離脱機構および該固定部材から離脱され、かつ固定部材によって固定される被固定部材とから構成され、
前記筒体が、貫通する孔部を有し、
前記操作制御部材が、一端側を人力によって操作力が付与される操作部、他端側を前記操作部と一体構成の駆動部とされ、前記筒状本体の上面に係合されたとき、前記操作制御部材が、係合側方からみて前記筒状本体の上面に対して上側に９０°よりも大きく、１８０°よりも小さくシーソレバー状に屈曲され、前記筒体に固定した回転支点部材を備え、該回転支点部材に保持されて回転支点を中心として回動可能とされ、前記駆動部が、端部に開口部を備え、
前記固定部材が、板バネ性質と鋭角に屈曲された形状とを有し、前記筒体に設けた孔部を貫通して配設されて前記孔部に屈曲された部位が位置するように配置されることで該孔部を中心にして回動可能にされて前記筒体に保持され、一端側が前記開口部内に挿入されて前記駆動部の内部内面に接触可能とされ、他端側が前記被固定部材の表面に接触可能とされて構成され、
人力によって前記操作部に長手方向に対する上下方向ワンタッチ操作力が加わると、前記操作制御部材が前記筒体上で回動して駆動部を回動させ、該駆動部の回動が前記開口部内の固定部材の一端側を押圧して該固定部材を前記筒体上で回動させ、該固定部材の他端側が、前記被固定部材を前記筒状本体に固定し、人力によって前記操作部に反対方向の操作力が加わると、前記操作制御部材が反対方向に回動し、前記固定部材も反対方向に回動して、前記固定部材の前記被固定部材に対する押圧力を解除し、前記被固定部材を前記固定部材から離脱可能とすること
を特徴とする圧着固定・圧着解除部品の構造。
【請求項２】
請求項１において、前記駆動部が、内部に前記筒体の外形よりもわずかに大きな内部形状を有して、前記操作制御部材が回動すると前記駆動部の内部形状が摩擦力によって前記筒体の外形に固着され、前記操作部に加えられた押圧力が解除されても前記駆動部の前記筒体に対する固着が継続されることを特徴とする圧着固定・圧着解除部材の構造。
【請求項３】
請求項１において、前記筒体および前記駆動部が、角形または丸形に形成されることを特徴とする圧着固定・圧着解除部品の構造。
【請求項４】
請求項１において、前記駆動部が、別体で構成された留め具と一体とされ、該留め具によって前記回転支点部材に保持されることを特徴とする圧着固定・圧着解除部品の構造。
【請求項５】
請求項１に記載された圧着固定・圧着解除部品の構造であって、前記筒体が、台所用品のお玉の柄とされて、お玉の柄に適用され、前記被固定部材が、お玉の具盛り部に一体化されたことを特徴とする圧着・圧着解除部品の構造。
【請求項６】
請求項１に記載された圧着固定・圧着解除部品の構造であって、前記筒体が、バターない柄とされて、バターナイフの柄に適用され、前記固定部材が、バターナイフの柄に一体化されたことを特徴とする圧着固定・圧着解除部品の構造。
【請求項７】
請求項１に記載された圧着固定・圧着解除部品の構造であって、前記筒体が、スコップの柄とされて、スコップの柄に適用され、前記被固定部材が、スコップのスコップ頭部に一体化されたことを特徴とする圧着固定・圧着解除部品の構造。
【手続補正２】
【補正対象書類名】明細書
【補正対象項目名】０００８
【補正方法】変更
【補正の内容】
【０００８】
本発明は、
筒体から形成された筒状本体と、
該筒状本体に回動可能に係合される操作制御部材、該操作制御部材に係合される固定部材から構成される固定・離脱機構および該固定部材から離脱され、かつ固定部材によって固定される被固定部材とから構成され、
前記筒体が、貫通する孔部を有し、
前記操作制御部材が、一端側を人力によって操作力が付与される操作部、他端側を前記操作部と一体構成の駆動部とされ、前記筒状本体の上面に係合されたとき、前記操作制御部材が、係合側方からみて前記筒状本体の上面に対して上側に９０°よりも大きく、１８０°よりも小さくシーソレバー状に屈曲され、前記筒体に固定した回転支点部材を備え、該回転支点部材に保持されて回転支点を中心として回動可能とされ、前記駆動部が、端部に開口部を備え、
前記固定部材が、板バネ性質と鋭角に屈曲された形状とを有し、前記筒体に設けた孔部を貫通して配設されて前記孔部に屈曲された部位が位置するように配置されることで該孔部を中心にして回動可能にされて前記筒体に保持され、一端側が前記開口部内に挿入されて前記駆動部の内部内面に接触可能とされ、他端側が前記被固定部材の表面に接触可能とされて構成され、
人力によって前記操作部に長手方向に対する上下方向ワンタッチ操作力が加わると、前記操作制御部材が前記筒体上で回動して駆動部を回動させ、該駆動部の回動が前記開口部内の固定部材の一端側を押圧して該固定部材を前記筒体上で回動させ、該固定部材の他端側が、前記被固定部材を前記筒状本体に固定し、人力によって前記操作部に反対方向の操作力が加わると、前記操作制御部材が反対方向に回動し、前記固定部材も反対方向に回動して、前記固定部材の前記被固定部材に対する押圧力を解除し、前記被固定部材を前記固定部材から離脱可能とすること
を特徴とする圧着固定・圧着解除部品を提供する。
前記駆動部が、内部に前記筒体の外形よりもわずかに大きな内部形状を有して、前記操作制御部材が回動すると前記駆動部の内部形状が摩擦力によって前記筒体の外形に固着され、前記操作部に加えられた押圧力が解除されても前記駆動部の前記筒体に対する固着が継続されることを特徴とする圧着固定・圧着解除部材の構造を提供する。
前記筒体および前記駆動部が、角形または丸形に形成されることを特徴とする圧着固定・圧着解除部品の構造を提供する。
本発明は、前記駆動部が、別体で構成された留め具と一体とされ、該留め具によって前記回転支点部材に保持されることを特徴とする圧着固定・圧着解除部品の構造を提供する。
【手続補正３】
【補正対象書類名】明細書
【補正対象項目名】００１６
【補正方法】変更
【補正の内容】
【００１６】
操作制御部材３は、薄い板からなり、一端側を人力によって操作力が付与される操作部６、他端側を操作部６と一体構成の駆動部７とされ、筒状本体１の上面に係合されたとき、操作部部材３は、係合側方からみて筒状本体の上面に対して上側に９０°よりも大きく、１８０°よりも小さくしたシーソーレバー状に屈曲され、筒体８に固定した回転支点部材１２を備え、回転支点部材１２に保持されて回転支点１３を中心として回動可能とされる。駆動部７が、端部に開口部１６を備える。駆動部７は、下側が開放された形状をなし、この開放部が回転支点１３を中心として筒体８を包囲することが出来るようにして回動することが出来る。すなわち両側２側面および上面が筒体の上方部を包囲することが出来る。回転支点部材１２および回転支点は１３は、操作制御部材を本体である筒体８に保持させる機能を持つ。